(57)【特許請求の範囲】
【請求項１】
陰圧エリアと陽圧エリアとを備えた陰陽圧エリアユニットであって、
内部に前記陰圧エリアおよび前記陽圧エリアが隣接配置される骨組ユニットと、
前記骨組ユニットにその上面および側面を覆うようにして設けられる被覆シートと、
前記骨組ユニットに前記陰圧エリアと前記陽圧エリアとを仕切るようにして設けられる仕切シートと、
前記陰圧エリアと前記陽圧エリアとの双方に少なくとも一部が露出するように、前記仕切シートに対して位置決めされて設置される自立型クリーンユニットとを備え、
前記骨組ユニットは、複数の骨組材を組み立てることによって形成され、
前記仕切シートは、前記陰圧エリアと前記陽圧エリアの境界部に位置する前記骨組材より陽圧エリア側に配置され、
前記自立型クリーンユニットは、前記陰圧エリアの空気を吸引し、当該空気に含まれている異物を除去したうえで、前記陽圧エリアに吹出すことを特徴とする陰陽圧エリアユニット。
【請求項２】
陰圧エリアと陽圧エリアとを備えた陰陽圧エリアユニットであって、
内部に前記陰圧エリアおよび前記陽圧エリアが隣接配置される骨組ユニットと、
前記骨組ユニットにその上面および側面を覆うようにして設けられる被覆シートと、
前記骨組ユニットに前記陰圧エリアと前記陽圧エリアとを仕切るようにして設けられる仕切シートと、
前記陰圧エリアと前記陽圧エリアとの双方に少なくとも一部が露出するように、前記仕切シートに対して位置決めされて設置される自立型クリーンユニットとを備え、
前記自立型クリーンユニットは、前記陰圧エリアの空気を吸引し、当該空気に含まれている異物を除去したうえで、前記陽圧エリアに吹出し、
前記自立型クリーンユニットは、
前記陰圧エリアに開口する吸込口および前記陽圧エリアに開口する吹出口を有するユニット本体と、
前記ユニット本体の内部に前記吹出口に対向して設けられた送風機と、
前記ユニット本体の内部に前記吸込口に対向して設けられたフィルタとを備え、
前記送風機は、前記陰圧エリアの空気を前記吸込口を通して吸い込むとともに前記フィルタを通過させたうえで、前記吹出口から吹き出し、
前記自立型クリーンユニットが前記仕切シートより陰圧エリア側に配置されることで、前記自立型クリーンユニットの陰圧エリア側を向く面が全て前記陰圧エリアに露出し、
前記仕切シートの下端部に開口が前記吹出口に対向して設けられ、
前記自立型クリーンユニットの陽圧エリア側を向く面の下端部が前記開口を通して前記陽圧エリアに露出していることを特徴とする陰圧陽圧エリアユニット。
【請求項３】
請求項１または２に記載の陰陽圧エリアユニットを病院内に配置した陰陽圧エリアユニットの配置構造であって、
前記陰陽圧エリアユニットは、前記病院内の一部を陰圧廊下と陽圧廊下とに区画しており、
前記陰圧廊下が前記陰陽圧エリアユニットの陰圧エリアで構成され、前記陽圧廊下が前記陰陽圧エリアユニットの陽圧エリアで構成されていることを特徴とする陰陽圧エリアユニットの配置構造。
【発明の詳細な説明】
【技術分野】
【０００１】
本発明は、屋内施設に設置することで、陰圧エリアと陽圧エリアを区画することができる陰陽圧エリアユニットに関する。
【背景技術】
【０００２】
清浄環境を必要とする精密電子機器、食品・医療製品等の製造工程では、クリーンルームやクリーンブースが使用される。特に、クリーンブースは、低価格で高清浄度の局所的なクリーン環境が得られる構造として多用されている。
このようなクリーンブースの一例として、特許文献１に記載のものが知られている。このクリーンブースは、上面を覆う天板と、天板の中央近傍に配設したファンフィルタユニットと、このファンフィルタユニットから供給される清浄空気をブース内に吹き出す吹出口とを備えている。
【先行技術文献】
【特許文献】
【０００３】
【特許文献１】特開２００７−１５５２０５号公報
【発明の概要】
【発明が解決しようとする課題】
【０００４】
上述したように従来のクリーンブースでは、ファンフィルタユニットから供給される清浄空気をブース内に吹き出すことで、当該ブース内を陽圧に保持しているため、当該ブース内に塵、菌およびウイルス等の異物が侵入するのを防止できるが、ブース外は大気圧であるため、ブース外では前記異物が浮遊することになる。
一方、最近の新型コロナウイルスや新型インフルエンザウイルスの感染拡大を抑制するために、病院、ホテル、体育館等の屋内施設に設置することで、いわゆるレッドゾーンとグリーンゾーンとを明確に区分けすると同時に、ウイルスの拡散抑制および医療従事者等の保護を行えるユニットの開発が望まれている。
【０００５】
本発明は、前記事情に鑑みてなされたもので、屋内施設に設置して、陰圧エリアと陽圧エリアを区画することで、ウイルス等の異物の拡散抑制および医療従事者等の人の保護を行える陰陽圧エリアユニットを提供することを目的とする。
【課題を解決するための手段】
【０００６】
前記目的を達成するために、本発明の陰陽圧エリアユニットは、陰圧エリアと陽圧エリアとを備えた陰陽圧エリアユニットであって、
内部に前記陰圧エリアおよび前記陽圧エリアが隣接配置される骨組ユニットと、
前記骨組ユニットにその上面および側面を覆うようにして設けられる被覆シートと、
前記骨組ユニットに前記陰圧エリアと前記陽圧エリアとを仕切るようにして設けられる仕切シートと、
前記陰圧エリアと前記陽圧エリアとの双方に少なくとも一部が露出するように、前記仕切シートに対して位置決めされて設置される自立型クリーンユニットとを備え、
前記自立型クリーンユニットは、前記陰圧エリアの空気を吸引し、当該空気に含まれている異物を除去したうえで、前記陽圧エリアに吹出すことを特徴とする。
【０００７】
前記骨組ユニットは、その上面および側面が被覆シートによって覆われるが、下面は被覆シートによって覆わなくてもよく、側面を覆う被覆シートは骨組ユニットが設置される床面に接触していてもよいし、被覆シートの下端と床面との間に若干の隙間があってもよい。なお、骨組ユニットの側面とは、上面に交差する全ての側面のことであり、例えば、骨組ユニットが直方体状に形成されている場合、上面に交差（直交）する、互いに対向する両側面および互いに対向する両側端面のことを意味する。
また、自立型クリーンユニットは、骨組ユニットが設置される床面に設置されて自立可能なものであればよく、さらに、自立型クリーンユニットの下部にキャスタ等を取り付けて移動可能としてもよい。
【０００８】
本発明においては、陰圧エリアと陽圧エリアとを仕切るようにして仕切シートが設けられているので、この仕切シートによって陰圧エリアと陽圧エリアとを区画でき、さらに、陰圧エリアと陽圧エリアとの双方に少なくとも一部が露出するように、仕切シートに対して位置決めされた自立型クリーンユニットが設置され、自立型クリーンユニットは、陰圧エリアの空気を吸引し、当該空気に含まれている異物を除去したうえで、陽圧エリアに吹出すので、陰圧エリアにウイルス等の異物を封じ込むことできるとともに、陽圧エリアには陰圧エリアや外部からウイルス等の異物の侵入を抑制できる。したがって、ウイルスの拡散抑制および医療従事者等の人の保護を行うことができる。
【０００９】
また、本発明の前記構成において、前記自立型クリーンユニットは、
前記陰圧エリアに開口する吸込口および前記陽圧エリアに開口する吹出口を有するユニット本体と、
前記ユニット本体の内部に前記吹出口に対向して設けられた送風機と、
前記ユニット本体の内部に前記吸込口に対向して設けられたフィルタとを備え、
前記送風機は、前記陰圧エリアの空気を前記吸込口を通して吸い込むとともに前記フィルタを通過させたうえで、前記吹出口から吹き出すことを特徴とする。
【００１０】
このような構成によれば、送風機を作動させることによって、陰圧エリアの空気を吸込口を通して吸い込むとともにフィルタを通過させて、当該フィルタによって空気に含まれているウイルス等の異物を除去したうえで、吹出口から吹き出すことができるので、陰圧エリアの空気からウイルス等の異物を除去した清浄空気を陽圧エリアに確実に吹出すことができる。
【００１１】
また、本発明の前記構成において、前記骨組ユニットは、複数の骨組材を組み立てることによって形成されてもよい。
【００１２】
このような構成によれば、複数の骨組材を組み立てることによって骨組ユニットが形成されるので、骨組材の本数、長さ、配置位置等を適宜選択することによって、骨組ユニットの形状、大きさを自由に決定できるとともに、骨組ユニットの強度を適切に設定できる。
【発明の効果】
【００１３】
本発明によれば、陰圧エリアと陽圧エリアを区画して、ウイルス等の異物の拡散抑制および医療従事者等の人の保護を行える。
【図面の簡単な説明】
【００１４】
【図１】本発明の第１の実施形態に係る陰陽圧エリアユニットを示すもので、横断面図である。
【図２】同、側断面図である。
【図３】同、平断面図である。
【図４】本発明の第１の実施形態に係る陰陽圧エリアユニットの自立型クリーンユニットを示すもので、側面図である。
【図５】同、正面図である。
【図６】本発明の第２の実施形態に係る陰陽圧エリアユニットを病院内に設置した状態を示す平断面図である。
【発明を実施するための形態】
【００１５】
以下、図面を参照して本発明に係る陰陽圧エリアユニットの実施形態について説明する。
（第１の実施形態）
図１〜図３は、第１の実施形態に係る陰陽圧エリアユニット１０を施設の廊下等に設置した状態を示すもので、図１は横断面図、図２は側断面図、図３は平断面図である。
【００１６】
図１〜図３に示すように、陰陽圧エリアユニット１０は、陰圧エリアＮｐおよび陽圧エリアＰｐを備えたものであり、骨組ユニット１１と、被覆シート１２と、仕切シート１３と、自立型クリーンユニット２０とを備えている。
【００１７】
骨組ユニット１１は内部に陰圧エリアＮｐおよび陽圧エリアＰｐが配置されるものであり、複数の骨組材１１ａを組み立てることによって略直方体状に形成されている。骨組材１１ａは、合成樹脂製またはアルミ等の金属製の円筒状のパイプによって形成され、長さが異なる複数種類がある。骨組材１１ａどうしはジョイント部材１１ｂによって接続されている。
ジョイント部材１１ｂは複数種類あり、２本の骨組材１１ａを一直線状に接続するもの、骨組ユニット１１のコーナ部において３本の骨組材１１ａを互いに直角に接続するもの、骨組ユニット１１の側面上部において４本の骨組材１１ａを互いに直角に接続するもの、骨組ユニット１１の上面中央部において５本の骨組材１１ａを互いに直角に接続するもの等がある。また、ジョイント部材１１ｂは合成樹脂製またはアルミ等の金属製のものであり、骨組材１１ａの端部が挿入される継手パイプを有している。なお、ジョイント部材１１ｂの形状等は上述したものに限ることなく、骨組材１１ａを接続する形態に応じて適宜形状等が設定される。
【００１８】
このような骨組材１１ａおよびジョイント部材１１ｂを使用して骨組ユニット１１を組み立てる場合、骨組ユニット１１の上面側では、図３に示すように、複数の骨組材１１ａを平面視において矩形枠状に組み立てるとともに、この矩形枠の内側中央部に複数の骨組材１１ａを直交させて組み立て、骨組材１１ａどうしをジョイント部材１１ｂによって接続する。
また、骨組ユニット１１の側面側では、図２に示すように、複数の骨組材１１ａを側面視において略コ字形に組み立てるとともに、このコ字形枠の内側に２本の骨組材１１ａを所定間隔離間させて立てた状態で組み立て、骨組材１１ａどうしをジョイント部材１１ｂによって接続する。なお、立てた状態の骨組材１１ａの下端部には設置部材１１ｃが固定され、この設置部材１１ｃが床面に設置されている。
【００１９】
また、骨組ユニット１１の側端面側では、図１に示すように、複数の骨組材１１ａを側端面視において略コ字形に組み立てるともに、このコ字形枠の内側の左右中央部に１本の骨組材１１ａを立てた状態で組み立て、骨組材１１ａどうしをジョイント部材１１ｂによって接続する。なお、立てた状態の骨組材１１ａの下端部には設置部材１１ｃが固定され、この設置部材１１ｃが床面に設置されている。
【００２０】
被覆シート１２は、例えば透明の塩化ビニールシートによって形成され、骨組ユニット１１の上面、両側面および両側端面を覆うようにして設けられている。被覆シート１２は骨組ユニット１１の上面、両側面および両側端面を覆うように一体的に形成してもよいし、骨組ユニット１１の上面、両側面および両側端面をそれぞれ覆うシートを別体に形成しておき、これら複数のシートを溶着や接着等によって接合してもよい。
また、両側面および両側端面を覆う被覆シート１２の下端は、床面に接した状態となっていてもよいし、床面から若干上方に離れていてもよい。被覆シート１２の下端が床面から上方に離れて、隙間が形成されても、陽圧エリアＰｐは外部に対して陽圧となっているので、外部から隙間を通して異物が侵入するのを抑制できる。また、陰圧エリアＮｐは外部に対して陰圧となっているので、陰圧エリアＮｐに封じ込めた異物が隙間を通して外部への飛散するのを抑制できる。
【００２１】
また、骨組ユニット１１の両側端面を覆う被覆シート１２は、陰圧エリアＮｐおよび陽圧エリアＰｐに人が出入り可能に形成されている。例えば、当該被覆シート１２に開閉可能なシート状の扉を設けてもよいし、当該被覆シート１２をその幅方向中央部で重ね合わせ、重ね合わせた被覆シート１２を捲るようにして人を出入り可能としてもよい。
骨組ユニット１１の両側端面を覆う被覆シート１２を人が出入り可能に構成しても、陽圧エリアＰｐは外部に対して陽圧となっているので、側端面側の被覆シート１２の扉や隙間を通して異物が侵入するのを抑制できる。また、陰圧エリアＮｐは外部に対して陰圧となっているので、陰圧エリアＮｐに封じ込めた異物が扉や隙間を通して外部への飛散するのを抑制できる。
【００２２】
仕切シート１３は、例えば透明の塩化ビニールシートによって形成され、骨組ユニット１１に陰圧エリアＮｐと陽圧エリアＰｐとを仕切るようにして設けられている。仕切シート１３は骨組ユニット１１の長手方向の長さとほぼ等しい長さを有しており、平面視において、骨組ユニット１１の中央部の長手方向に沿う骨組材１１ａに沿って配置されるとともに、この骨組材１１ａより陽圧エリアＰｐ側に配置されている。したがって、陽圧エリアＰｐと陰圧エリアＮｐとの差圧によって、仕切シート１３が陰圧エリアＮｐ側に膨らもうとしても、当該仕切シート１３は骨組材１１ａに支持されるので、当該膨らみを抑制できる。
また、仕切シート１３の下端は、床面に接した状態となっていてもよいし、床面から若干上方に離れていてもよい。仕切シート１３がこのようになっていても、陽圧エリアＰｐと陰圧エリアＮｐとの差圧によって、空気は陽圧エリアＰｐから陰圧エリアＮｐに向けて流れるので、陰圧エリアＮｐに封じ込めた異物が陽圧エリアＰｐに侵入するのを抑制できる。
また、仕切シート１３の上端は、骨組ユニット１１の上面を覆っている被覆シート１２に溶着や接着等によって接合してもよいし、当該被覆シート１２に接した状態であってもよい。
【００２３】
前記被覆シート１２および仕切シート１３は、骨組材１１ａに沿って配置されており、当該骨組材１１ａに図示しない係止クリップによって係止されている。
この係止クリップは略Ｃ形の開環リング状に形成され、骨組材１１ａに弾性的に着脱可能かつ係止可能となっている。したがって、被覆シート１２および仕切シート１３をそれぞれ骨組材１１ａに接するように沿わせたうえで、被覆シート１２および仕切シート１３のうえから骨組材１１ａに係止クリップを係止することで、被覆シート１２および仕切シート１３を骨組材１１ａに固定できる。このような係止クリップは、骨組材１１ａの長手方向に沿って所定間隔で複数配置されたうえで、被覆シート１２および仕切シート１３を骨組材１１ａの所定の位置に固定する。
【００２４】
自立型クリーンユニット２０は、陰圧エリアＮｐの空気を吸引し、フィルタによって空気に含まれているウイルスや塵等の異物を除去したうえで、陽圧エリアＰｐに吹出すものであり、陰圧エリアＮｐと陽圧エリアＰｐとの双方に少なくとも一部が露出するように、仕切シート１３に対して位置決めされて床面に設置されている。
すなわち、自立型クリーンユニット２０は、図１に示すように、仕切シート１３に対して、当該仕切シート１３より陰圧エリアＮｐに配置されている。逆に言うと、仕切シート１３は、自立型クリーンユニット２０より陽圧エリアＰｐに配置されている。
したがって、自立型クリーンユニット２０は、陰圧エリア側を向く面が全て陰圧エリアＮｐに露出し、陽圧エリア側を向く面は仕切シート１３に覆われている。しかし、この仕切シート１３の下端部には矩形状の開口１３ａが設けられている。このため、自立型クリーンユニット２０は、陽圧エリア側を向く面の下端部が開口１３ａを通して陽圧エリアＰｐに露出している。
また、自立型クリーンユニット２０は、図２および図３に示すように、骨組ユニット１１の内部にその長手方向に沿って所定間隔で４つ設けられている。
【００２５】
なお、仕切シート１３に対する自立型クリーンユニット２０に位置決めは、上述した以外でも、例えば、仕切シート１３に、自立型クリーンユニット２０の幅および高さに見合う矩形状の開口（下端は開放）を形成しておき、この開口の上縁を自立型クリーンユニット２０の上面に固定し、両側縁を自立型クリーンユニット２０の両側面に固定してもよい。このようにすると、自立型クリーンユニット２０は、陰圧エリア側を向く面が全て陰圧エリアＮｐに露出し、陽圧エリア側を向く面が全て陽圧エリアＰｐに露出することになる。
【００２６】
自立型クリーンユニット２０は、図４および図５に示すように、ユニット本体２１と、送風機２２と、フィルタ２３とを備えている。
ユニット本体２１は内部が中空の矩形のパネル状に形成され、図４において、一方の面（図４において左面）の上部に吸込口２１ａを有している。吸込口２１ａは矩形状に形成され、当該吸込口２１ａには多数の小貫通孔を有する吸込板２４（図５参照）が嵌め込まれている。また、ユニット本体２１は、他方の面（図４において右面）の下部に吹出口２１ｂを有している。吹出口２１ｂは矩形状に形成され、当該吹出口２１ｂには、多数の小貫通孔を有する吹出板２５（図２および図５参照）が嵌め込まれている。吹出口２１ｂは吸込口２１ａより長辺および短辺が短くなっており、吹出板２５は吸込板２４より長辺および短辺が短くなっている。
また、ユニット本体２１は、支持台２６によって直立状態に支持されている。支持台２６はユニット本体２１の厚さ方向（図４において左右方向）に延びる板状に形成され、その長手方向の両端部にはそれぞれキャスタ２７，２７が取り付けられている。なお、一方のキャスタ２７はストッパ機能付きである。
また、支持台２６はユニット本体２１の幅方向（図５において左右方向）の両側部下端にそれぞれ取り付けられている。
【００２７】
送風機２２は、図４に示すように、ユニット本体２１の内部の下部に、吹出口２１ｂと対向して設けられており、モータ２２ａとこのモータ２２ａの回転軸に取り付けられた羽根２２ｂとを備えている。モータ２２ａには電気を供給するため電源コード２２ｃが接続されている。モータ２２ａによって羽根２２ｂを回転させると、ユニット本体２１の内部の空気が吹出口２１ｂから吹き出されるので、当該内部が陰圧となり、外部の空気が吸込口２１ａから吸引されて、下方に流れ吹出口２１ｂから吹き出される。
【００２８】
フィルタ２３は、ユニット本体２１の内部に吸込口２１ａに対向して設けられている。このフィルタ２３は、不織布やメッシュ状の織布等で形成されたプレフィルタ２３ａとＨＥＰＡフィルタ等で形成されたメインフィルタ２３ｂとを備えており、メインフィルタ２３ｂよりプレフィルタ２３ａが吸込口２１ａに近くなるように配置されている。
そして、送風機２２は、羽根２２ｂをモータ２２ａによって回転させることによって、外部の空気を吸込口２１ａを通して吸い込むとともにフィルタ２３を通過させたうえで、吹出口２１ｂから吹き出す。この際、空気に含まれたいた比較的粒径の大きい塵等は主にプレフィルタ２３ａによって捕捉されて除去され、菌やウイルス等の微細なものはメインフィルタ２３ｂによって捕捉されて除去される。
【００２９】
このような構成の自立型クリーンユニット２０は、図１〜図３に示すように、ユニット本体２１の吸込口２１ａが陰圧エリアＮｐに向き、かつ吹出口２１ｂが陽圧エリアＰｐに向くように配置されたうえで、床面に設置される。
吸込口２１ａを有する面は仕切シート１３によって覆われていないため、吸込口２１ａは陰圧エリアＮｐに露出している。
吹出口２１ｂを有する面は仕切シート１３によって覆われているが、当該仕切シート１３の下部には矩形状の開口１３ａが設けられているため、この開口１３ａを通して吹出口２１ｂは陽圧エリアＰｐに露出する。
したがって、送風機２２を作動させることによって、陰圧エリアＮｐの空気を吸込口２１ａを通して吸い込むとともにフィルタ２３を通過させて、当該フィルタ２３によって空気に含まれているウイルスや塵等異物を除去したうえで、吹出口２１ｂから吹き出すことができる。
【００３０】
以上のように本実施形態によれば、陰圧エリアＮｐと陽圧エリアＰｐとを仕切るようにして仕切シート１３が設けられているので、この仕切シート１３によって陰圧エリアＮｐと陽圧エリアＰｐとを区画でき、さらに、陰圧エリアＮｐと陽圧エリアＰｐとの双方に少なくとも一部が露出するように、仕切シート１３に対して位置決めされた自立型クリーンユニット２０が設置され、自立型クリーンユニット２０は、陰圧エリアＮｐの空気を吸引し、当該空気に含まれている異物を除去したうえで、陽圧エリアＰｐに吹出すので、陰圧エリアＮｐにウイルス等の異物を封じ込むことできるとともに、陽圧エリアＰｐには陰圧エリアＮｐや外部からウイルス等の異物の侵入を抑制できる。したがって、ウイルスの拡散抑制および医療従事者等の人の保護を行うことができる。
【００３１】
また、図３に示すように、本実施形態の陰陽圧エリアユニット１０の側端面側は、被覆シート１２によって覆われているが、当該側端面側から人がそれぞれ陰圧エリアＮｐおよび陽圧エリアＰｐに出入りできるので、ウイルス等によって汚染された施設の廊下に設置するのに好適な陰陽圧エリアユニット１０となる。
【００３２】
さらに、本実施形態の陰陽圧エリアユニット１０は、送風機２２を作動させることによって、陰圧エリアＮｐの空気を吸込口２１ａを通して吸い込むとともにフィルタ２３を通過させて、当該フィルタ２３によって空気に含まれているウイルス等の異物を除去したうえで、吹出口２１ｂから吹き出すことができるので、陰圧エリアＮｐの空気からウイルス等の異物を除去した清浄空気を陽圧エリアＰｐに確実に吹出すことができる。
【００３３】
また、本実施形態の陰陽圧エリアユニット１０の骨組ユニット１１は、複数の骨組材１１ａをジョイント部材１１ｂによって接続することによって、形成されるので、骨組材１１ａの本数、長さ、配置位置等を適宜選択することによって、骨組ユニット１１の形状、大きさを自由に決定できるとともに、骨組ユニット１１の強度を適切に設定できる。
【００３４】
（第２の実施形態）
図６は、第２の実施形態に係る陰陽圧エリアユニット１０Ａを病院内に設置した状態を示す平断面図である。
本実施形態に係る陰陽圧エリアユニット１０Ａが第１の実施形態に係る陰陽圧エリアユニット１０と異なる点は、自立型クリーンユニット２０の個数および陰圧エリアＮｐの長さであるので、以下ではこの点および各室の配置状態について説明し、同一構成は同一符号を付してその説明を省略する場合もある。
また、本実施形態では、自立型クリーンユニット２０を、陰陽圧エリアユニット１０Ａの外部にも適宜設置することによって、各室の陰圧のレベルを調整している。
【００３５】
図６に示すように、陰陽圧エリアユニット１０Ａは、病院内に設置され、当該病院内の一部を陰圧廊下（陰圧エリア）Ｎｐと陽圧廊下（陽圧エリア）Ｐｐとに区画している。第１の実施形態では陰圧エリアＮｐと陽圧エリアＰｐとは同長さであったが、本実施形態では、陽圧廊下（陽圧エリア）Ｐｐの方が陰圧廊下（陰圧エリア）Ｎｐより長くなっているとともに、陰圧廊下（陰圧エリア）Ｎｐと陽圧廊下（陽圧エリア）Ｐｐとの一端部（図６において左端部）は平面視において面一となっており、他端部（図６において右端部）は陽圧廊下（陽圧エリア）Ｐｐが陰圧廊下（陰圧エリア）Ｎｐより延出している。
また、自立型クリーンユニット２０は、陰圧エリアＮｐの空気を吸引し、フィルタ２３によって空気に含まれているウイルスや塵等の異物を除去したうえで、陽圧エリアＰｐに吹出すものであり、陰圧エリアＮｐと陽圧エリアＰｐとの双方に少なくとも一部が露出するように、仕切シート１３に対して位置決めされて床面に３台、廊下（陰圧廊下Ｎｐおよび陽圧廊下Ｐｐ）の長手方向に所定間隔で設置されている。
【００３６】
陰圧廊下Ｎｐの両端部にはそれぞれ出入口が設けられ、陽圧廊下Ｐｐの両端部にも出入口が設けられている。
陰圧廊下Ｎｐには、一次待合室３１、感染者待合室３２，３３，３４が陰圧廊下Ｎｐの一端部から他端部側に向けて順に互いに隣接しつつ陰圧廊下Ｎｐの長手方向に沿って並設されている。また、一次待合室３１、感染者待合室３２，３３，３４は陰圧廊下Ｎｐに隣接配置され、陰圧廊下Ｎｐと一次待合室３１、感染者待合室３２，３３，３４との境界部にはそれぞれ出入口が設けられている。また、感染者待合室３４には診察室３５が隣接配置されており、当該診察室３５には陰圧廊下Ｎｐの他端部に設けられた出入口から出入り可能となっている。
【００３７】
これら待合室３１〜３４および診察室３５は、陰陽圧エリアユニット１０Ａの骨組ユニット１１Ａを構成する骨組材１１ａと同様の骨組材１１ａを用いて形成されている。
すなわち、一次待合室３１は、複数の骨組材１１ａをジョイント部材１１ｂによって接続することによって、直方体形状に形成され、感染者待合室３２は、複数の骨組材１１ａをジョイント部材１１ｂによって接続することによって、直方体形状にかつ平面視において一般待合室より小さく形成され、感染者待合室３３，３４も複数の骨組材１１ａをジョイント部材１１ｂによって接続することによって、立方体形状にかつ感染者待合室３２と同じ大きさに形成されている。但し、互いに隣接する感染者待合室３３，３４の境界部には骨組材１１ａは配置されておらず、その代わり、透明の塩化ビールシートによって形成された仕切シート１３が設けられている。
また、互いに隣接する一次待合室３１と感染者待合室３２との境界部には骨組材１１ａおよび仕切シート１３が設けられ、互いに隣接する感染者待合室３２，３３の境界部にも骨組材１１ａおよび仕切シート１３が設けられている。さらに、互いに隣接する感染者待合室３４と診察室３５との境界部にも骨組材１１ａおよび仕切シート１３が設けられている。また、各室３１〜３５と外部との境界部には骨組材１１ａおよび被覆シート１２が設けられている。なお、被覆シート１２は各室３１〜３５の上面にも設けられている。
さらに、各室３１〜３５と陰圧廊下Ｎｐとを仕切り仕切シート１３には、それぞれ出入口が設けられている。
【００３８】
また、各室３１〜３５と外部との境界部にはそれぞれ自立型クリーンユニット２０が設けられている。これら自立型クリーンユニット２０は、各室３１〜３５と外部との双方に少なくとも一部が露出するように、被覆シート１２に位置決めされて床面に設置されている。
これら自立型クリーンユニット２０および陰陽圧エリアユニット１０Ａに設けられた自立型クリーンユニット２０の出力を制御することによって、陰圧廊下Ｎｐ、一次待合室３１、感染者待合室３２，３３，３４および診察室３５の内圧が以下のように設定されている。
すなわち、陰圧を示す指標を陰圧度が高いものから順に「−１」、「−２」、「−３」とすると、陰圧廊下Ｎｐは「−２」、一次待合室３１は「−１」、感染者待合室３２，３３，３４は「−３」、診察室は「−１」に設定されている。なお、陽圧廊下Ｐｐは「＋２」に設定されている。
【００３９】
このように各室３１〜３５の陰圧度を設定することによって、感染者待合室３２，３３，３５の陰圧度が「−３」と最も高い、つまり最も低圧であるので、当該感染者待合室３２，３３，３５から外部、一次待合室３１、陰圧廊下Ｎｐおよび診察室３５に空気が流出しない。このため、感染者待合室３２，３３，３５にウイルス等の異物を封じ込めることができる。
また、一次待合室３１より陰圧廊下Ｎｐの方が低圧となっているので、陰圧廊下Ｎｐから一次待合室３１に空気が流出しない。このため、陰圧廊下Ｎｐから一次待合室３１にウイルス等の異物が空気の流れによって流入することがなく、一次待合室３１内でウイルス等の異物の濃度が高まるのを抑制できるとともに、外部への異物の流出を防止できる。
【００４０】
さらに、診察室３５より陰圧廊下Ｎｐの方が低圧となっているので、陰圧廊下Ｎｐから診察室３５に空気が流出しない。このため、陰圧廊下Ｎｐから診察室３５にウイルス等の異物が空気の流れによって流入することがなく、診察室３５内でウイルス等の異物の濃度が高まるのを抑制できるとともに、外部への異物の流出を防止できる。
また、診察室３５には、自立型クリーンユニット２０が複数台設置され、当該自立型クリーンユニット２０の吹出口の前方に、医者と患者がこの順で配置されように、医者の椅子や看者の椅子が配置されるので、自立型クリーンユニット２０から吹き出される清浄空気は医者から看者に向けて流れ、この清浄空気はその背後にある自立型クリーンユニット２０に吸い込まれて、ウイルス等の異物が除去されたうえで外部に吹出される。このため、看者がウイルス等に汚染されていても、当該ウイルスの医者への感染を抑制できる。
【００４１】
なお、本実施形態の陰陽圧エリアユニット１０Ａは第１の実施形態の陰陽圧エリアユニット１０と同様の効果を得ることができるのは言うまでもない。
【符号の説明】
【００４２】
Ｎｐ  陰圧エリア
Ｐｐ  陽圧エリア
１０，１０Ａ  陰陽圧エリアユニット
１１，１１Ａ  骨組ユニット
１１ａ  骨組材
１２  被覆シート
１３  仕切シート
２０  自立型クリーンユニット
２１  ユニット本体
２１ａ  吸込口
２１ｂ  吹出口
２２  送風機
２３  フィルタ
【要約】
【課題】屋内施設に設置することで、陰圧エリアと陽圧エリアを区画することで、ウイルス等の異物の拡散抑制および医療従事者等の人の保護を行える陰陽圧エリアユニットを提供する。
【解決手段】内部に陰圧エリアＮｐおよび陽圧エリアＰｐが隣接配置される骨組ユニット１１と、骨組ユニット１１にその上面および側面を覆うようにして設けられる被覆シート１２と、骨組ユニット１１に陰圧エリアＮｐと陽圧エリアＰｐとを仕切るようにして設けられる仕切シート１３と、陰圧エリアＮｐと陽圧エリアＰｐとの双方に少なくとも一部が露出するように、仕切シート１３に対して位置決めされて設置される自立型クリーンユニット２０とを備え、自立型クリーンユニット２０は、陰圧エリアＮｐの空気を吸引し、当該空気に含まれている異物を除去したうえで、陽圧エリアＰｐに吹出す。
【選択図】図１【図１】
0006914385.tif 000002
【図２】
0006914385.tif 000003
【図３】
0006914385.tif 000004
【図４】
0006914385.tif 000005
【図５】
0006914385.tif 000006
【図６】
0006914385.tif 000007